(57)【要約】【課題】少数の作業員と短い作業時間で埋設電線管内にケーブルを布設することのできる作業効率のよいケーブルの布設方法および装置を提供する。【解決手段】ケーブル２１を巻き取る巻取りローラ５を備え、内部に前記ケーブルを布設すべき埋設電線管６の開口部に設けられたケーブルトレイ３の近傍に設けられるケーブルトレイ部ケーブル自動延線機４と、前記ケーブルを支持し円滑に走行させる上部ローラ９および下部ローラ１２を備え、前記埋設電線管６に接続された中継端子ボックス７に設けられるケーブル誘導機８と、前記ケーブル２１を巻き取る巻取りローラ５を備え、前記ケーブル誘導機８に対向して設けられる中継端子ボックス部ケーブル自動延線機１０とを備えている構成とする。【選択図】  図１
2004266952.tif 000002
【特許請求の範囲】
【請求項１】
ケーブルを巻き取る巻取りローラを備え、内部に前記ケーブルを布設すべき埋設電線管の開口部に設けられたケーブルトレイの近傍に設けられるケーブルトレイ部ケーブル自動延線機と、前記ケーブルを支持し円滑に走行させる上部ローラおよび下部ローラを備え、前記埋設電線管に接続された中継端子ボックスに設けられるケーブル誘導機と、前記ケーブルを巻き取る巻取りローラを備え、前記ケーブル誘導機に対向して設けられる中継端子ボックス部ケーブル自動延線機とを備えていることを特徴とするケーブルの布設装置。
【請求項２】
前記ケーブルトレイ部自動延線機は自走ローラを備え、ケーブルトレイに沿って移動することを特徴とする請求項１記載のケーブルの布設装置。
【請求項３】
ケーブル引き込み先から埋設電線管内を通して中継端子ボックスまでのケーブル布設を請求項１に記載の中継端子ボックス部ケーブル自動延線機によって行い、前記中継端子ボックスから埋設電線管内を通してケーブルトレイまでのケーブル布設を請求項１に記載のケーブルトレイ部ケーブル布設自動延線機によって行うことを特徴とするケーブルの布設方法。
【発明の詳細な説明】
【０００１】
【発明の属する技術分野】
本発明は、工場、プラント等において、埋設電線管内にケーブルを通すケーブルの布設方法および装置に関する。
【０００２】
【従来の技術】
工場やプラントにおいては、動力設備に電力を供給したり、通信設備や制御設備に信号を伝達するために、ケーブルトレイや埋設電線管を利用して電気ケーブル（以下、単にケーブルという）が施設内に布設される。
【０００３】
図２は埋設電線管６内にケーブルが布設された状態を示す図である。順番としてはまず建屋２０が完成すると、制御盤１４及びケーブル接続先の電磁弁１５、配管１６及びケーブルトレイ３の搬入・据付けを行う。搬入が完了したのちにケーブル２１の布設に入る。ケーブル布設順番は制御盤１４側よりスタートし埋設電線管６内およびケーブルトレイ３を通して電磁弁１５まで布設される。
【０００４】
次に図２に示したような状態にするための従来のケーブルの布設方法について図３を用いて説明する。
まず中継端子ボックス７より埋設電線管６を通して制御盤室１７へワイヤーロープを垂らす。次に制御盤室１７へケーブルドラム１８を搬入し、ワイヤーロープにケーブル２１の先端を取り付け、電磁弁室２へケーブル２１を延線し布設する。埋設電線管６内に一度に布設できる距離は、ケーブル２１を保護するため３０ｍ以内と規定されており、３０ｍ間隔で中継端子ボックス７が設置してある。ケーブル布設作業は埋設電線管６内面の摩擦抵抗により１名では行うことができず、作業員２〜４名で行う。
【０００５】
制御盤室１７から電磁弁室２の中継端子ボックス７までの布設が完了したら、次に電磁弁室２内のケーブルトレイ３までの布設に入る。同じように中継端子ボックス７上部の埋設電線管６からワイヤーロープを垂らし、ケーブル２１の先端をワイヤーロープに取り付けて引き上げる。この作業は、ケーブルトレイ３上部及びケーブル延線足場１９に２〜４名の作業員が腰掛けて行っている。
【０００６】
電線管の一端から電線を引込む装置や開放空間で動作するケーブル延線機は下記特許文献１や２に記載されているが、埋設電線管内へのケーブル延伸を効率よく行う方法あるいは装置は未だ知られていない。
【０００７】
【特許文献１】
特公昭６３−６４１２１号公報
【特許文献２】
特開平９−１４００１９号公報
【０００８】
【発明が解決しようとする課題】
上述の従来の埋設電線管のケーブル布設方法は、人の力でのみケーブル布設を行っているため、多くの作業員と作業時間を要して作業効率が悪いという問題がある。
そこで本発明は、少数の作業員と短い作業時間で埋設電線管内にケーブルを布設することのできる作業効率のよいケーブルの布設方法および装置を提供することを目的とする。
【０００９】
【課題を解決するための手段】
請求項１に記載の発明は、ケーブルを巻き取る巻取りローラを備え、内部に前記ケーブルを布設すべき埋設電線管の開口部に設けられたケーブルトレイの近傍に設けられるケーブルトレイ部ケーブル自動延線機と、前記ケーブルを支持し円滑に走行させる上部ローラおよび下部ローラを備え、前記埋設電線管に接続された中継端子ボックスに設けられるケーブル誘導機と、前記ケーブルを巻き取る巻取りローラを備え、前記ケーブル誘導機に対向して設けられる中継端子ボックス部ケーブル自動延線機とを備えている構成とする。
【００１０】
請求項２に記載の発明は、前記ケーブルトレイ部自動延線機は自走ローラを備え、ケーブルトレイに沿って移動する構成とする。
請求項３に記載の発明は、ケーブル引き込み先から埋設電線管内を通して中継端子ボックスまでのケーブル布設を請求項１に記載の中継端子ボックス部ケーブル自動延線機によって行い、前記中継端子ボックスから埋設電線管内を通してケーブルトレイまでのケーブル布設を請求項１に記載のケーブルトレイ部ケーブル布設自動延線機によって行う構成とする。
【００１１】
【発明の実施の形態】
以下に本発明の実施の形態を図１を参照して説明する。
図１（ａ）は、本実施の形態のケーブルの布設装置の全体および本実施の形態のケーブルの布設方法による作業の状況を示している。図１（ｂ）はケーブル延線機４の詳細を示し、図１（ｃ）はケーブル誘導機８の詳細を示している。
【００１２】
ケーブルトレイ部ケーブル自動延線機４は巻取りローラ５と自走ローラ１３を備えている。中継端子ボックス部ケーブル自動延線機１０は巻き取りローラ５を備えている。ケーブル誘導機８は上部ローラ９と下部ローラ１２を備え、上下に中継端子ボックス７に固定するための脚８ａを備えている。巻取りローラ５と自走ローラ１３は、作業員２２による運転端末２３の操作により回転、停止する。上部ローラ９および下部ローラ１２はケーブル２１の走行に伴って回転する。
【００１３】
まずケーブル延線機４，１０を使用する前のセット方法について説明する。電磁弁室２のケーブルトレイ３の部分にケーブルトレイ部ケーブル自動延線機４を設置する。次に自動延線機４の巻取りローラ５にワイヤーロープをセットしてから埋設電線管６内を通し中継端子ボックス７まで引き出す。中継端子ボックス７内にケーブル誘導機８をセットしケーブル誘導機８の上部ローラ９にワイヤーロープを通す。
【００１４】
次に中継端子ボックス部ケーブル自動延線機１０をケーブル延線機固定架台１１にセットし、再びケーブル誘導機８の下部ローラ１２にワイヤーロープを通し、図示されていない下部の制御盤室まで垂らす。次に制御盤室にケーブルドラムを搬入し、そのケーブルの先端にワイヤーロープを取り付けてセットが完了する。
【００１５】
次にケーブル延線機４，１０を使用しての作業方法について説明する。まずワイヤーロープのたるみを取るために、ケーブルトレイ部ケーブル自動延線機４を作動させる。ケーブル自動延線機４にはロードリミッタがつけられておりたるみがなくなると巻取りローラ５が止まる仕組みになっている。
【００１６】
なお、抵抗が減ると自動的に再起動する。次に中継端子ボックスケーブル自動延線機１０を作動させる。下部のケーブルが巻き上げられ、それに伴いケーブルトレイ部ケーブル自動延線機４の抵抗が減り作動しケーブル２１が巻き上げられ、ケーブル布設が完了する。
【００１７】
同じケーブルトレイ３上で別の場所の埋設電線管６よりケーブルを布設することが多々あるが、そのときは、ケーブルトレイ部ケーブル自動延線機４は自走ローラ１３によってケーブルトレイ３上を移動する。
【００１８】
本実施の形態によれば、埋設電線管６内にケーブル２１を布設する手段としてケーブル自動延線機４，１０を使用した工事工法にすることにより、作業員の削減を図ることができる。ケーブル引き込み先から中継端子ボックス７までのケーブル布設を自動で行う中継端子ボックス部ケーブル自動延線機１０を用いることにより作業員を２〜４名から１名に削減することができる。
【００１９】
中継端子ボックス部ケーブル自動延線機１０でケーブルを布設する際に、中継端子ボックス７部にケーブル誘導機８を設置することにより、スムーズにケーブルが送られ埋設配管６内の摩擦抵抗によるケーブル２１の損傷や断線を防ぎ品質を維持することができる。中継端子ボックス部ケーブル自動延線機１０を固定するためのケーブル延線機固定架台１１を設置することによりケーブル巻き取り時に起こるケーブル自動延線機１０のずれを防ぐことができる。
【００２０】
中継端子ボックス７からケーブルトレイ３までのケーブル布設を自動で行うケーブルトレイ部ケーブル布設自動延線機４を用いることによりケーブルトレイ３上部での作業員が２〜４名削減できる。さらに、ケーブルトレイ部ケーブル自動延線機４はケーブルトレイ３に沿って移動することができるので、別の個所の埋設電線管ケーブル布設作業への切り替えをスムーズに行うことができる。
【００２１】
【発明の効果】
本実施の形態によれば、少数の作業員と短い作業時間で埋設電線管内にケーブルを布設することのできる作業効率のよいケーブルの布設方法および装置を提供することができる。
【図面の簡単な説明】
【図１】本発明の実施の形態のケーブルの布設方法および装置を示し、（ａ）は全体図、（ｂ）はケーブル延線機の詳細図、（ｃ）はケーブル誘導機の詳細図。
【図２】埋設電線管内にケーブルが布設された状態を示す図。
【図３】従来の埋設電線管内ケーブル布設作業状況を示す図。
【符号の説明】
２…電磁弁室、３…ケーブルトレイ、４…ケーブルトレイ部ケーブル自動延線機、５…巻取りローラ、６…埋設電線管、７…中継端子ボックス、８…ケーブル誘導機、８ａ…脚、９…上部ローラ、１０…中継端子ボックス部ケーブル自動延線機、１１…ケーブル延線機固定架台、１２…下部ローラ、１３…自走ローラ、１４…制御盤、１５…電磁弁、１６…配管、１７…制御盤室、１８…ケーブルドラム、１９…ケーブル延線足場、２０…建屋、２１…ケーブル、２２…作業員、２３…運転端末。
【図１】
2004266952.tif 000003
【図２】
2004266952.tif 000004
【図３】
2004266952.tif 000005